(57)【要約】【課題】  運用効率と顧客への配慮の双方を考慮した目標通過率を簡易に得られるようにする。【解決手段】  識別センサＳは、受入紙幣の光透過率を測定する。疲労判定部としての制御ユニットＣは、識別センサＳによって測定された光透過率が所定の「判定基準値」を上回った場合に、当該受入紙幣を疲労紙幣と判定する。受入排除手段Ｒは、制御ユニットＣによって疲労紙幣と判定された受入紙幣を収納紙幣から排除する。演算部としての制御ユニットＣは、受入紙幣のうち疲労紙幣とは判定されない紙幣の比率である「通過率」を算出する。通過率制御部としての制御ユニットＣは、所定期間内に受け入れた受入紙幣についての通過率である「期間通過率」と、予め設定された通過率の目標値である「目標通過率」とを比較し、期間通過率が目標通過率に近づく方向に判定基準値を漸増／漸減させるような制御を行う【選択図】  図２
2005107686.tif 000002
【特許請求の範囲】
【請求項１】
外部から受け入れた受入紙幣を収納紙幣として収納し、この収納紙幣を必要に応じて外部へ放出する循環式の紙幣取扱装置において、
前記受入紙幣の光透過率を測定する透過率測定部と、
この測定部によって測定された光透過率が所定の判定基準値を上回った場合に、当該受入紙幣を疲労紙幣と判定する疲労判定部と、
この判定部によって疲労紙幣と判定された前記受入紙幣を前記収納紙幣から排除する受入排除手段と、
前記受入紙幣のうち前記判定部によって疲労紙幣とは判定されない紙幣の比率である通過率を算出する演算部と、
所定期間内に受け入れた受入紙幣についての前記通過率である期間通過率と、予め設定された前記通過率の目標値である目標通過率とを比較し、前記期間通過率が前記目標通過率に近づく方向に前記判定基準値を漸増／漸減させる通過率制御部と、
を備えたことを特徴とする紙幣取扱装置。
【請求項２】
前記目標通過率を任意に設定するための通過率設定手段を更に備えた、ことを特徴とする請求項１記載の紙幣取扱装置。
【請求項３】
前記判定基準値を任意に増減させるための基準値調節手段を更に備えた、ことを特徴とする請求項１又は２記載の紙幣取扱装置。
【発明の詳細な説明】
【技術分野】
【０００１】
本発明は、外部から受け入れた受入紙幣を収納紙幣として収納し、この収納紙幣を必要に応じて外部へ放出する循環式の紙幣取扱装置に係り、特に可変式の判定基準に基づいて疲労紙幣（損券）と判定された受入紙幣を収納紙幣から排除するような紙幣取扱装置に関する。
【背景技術】
【０００２】
従来、上記のような循環式（還流式）の紙幣取扱装置には、特許文献１や特許文献２に記載されたものがある。特許文献１（［０００５］、［００１０］欄、図３等）に記載されたものは、紙幣の汚損の程度が流通する地域ごとに異なるという前提の下で、装置が用いられる地域の流通紙幣に対応した判定基準の設定ができるように考慮されている。また、特許文献２（特許請求の範囲等）に記載されたものは、収納紙幣の不足を防止するため、その残量に応じて自動的に判定基準を変更できるように考慮されている。
【特許文献１】特開平５−１０１２５１号公報
【特許文献２】特許第２５３０８５０号公報
【発明の開示】
【発明が解決しようとする課題】
【０００３】
ところで、所定の判定基準に基づいて、受入紙幣のうち疲労紙幣（損券）とは判定されない紙幣の比率である紙幣の「通過率」を考えたとき、次のことが言える。すなわち、装置の運用効率（資金効率）という観点からは、通過率を高めるために判定基準を緩くするのが望ましい。一方、出金等によって紙幣を受け取る顧客への配慮という観点からは、通過率が低くなっても判定基準を厳しくするのが望ましい。そこで、双方の観点を考慮した目標通過率を達成するような判定基準が設定されるようにすることが望ましい。
【０００４】
特許文献１に記載されたものは、地域によらず常に一定の目標通過率を保つために、実際の流通紙幣における汚損の程度を統計的なデータとして正規分布に纏め、これに基づいて判定基準を自動的に設定するようにしている。従って、膨大なデータに基づいた複雑な統計処理が必要であるという欠点がある。
【０００５】
また、特許文献２に記載されたものは、装置の運用効率的な観点が優先され、収納紙幣の残量という側面から一方的に判定基準（ひいては目標通過率自体）が変更されてしまう。このため、本質的に顧客への配慮という観点が欠落しているという問題がある。
【０００６】
本発明は、このような点を考慮してなされたものであり、運用効率と顧客への配慮の双方を考慮した目標通過率を簡易に得られるような紙幣取扱装置を提供することを目的とする。
【課題を解決するための手段】
【０００７】
第１の発明は、外部から受け入れた受入紙幣を収納紙幣として収納し、この収納紙幣を必要に応じて外部へ放出する循環式の紙幣取扱装置において、前記受入紙幣の光透過率を測定する透過率測定部と、この測定部によって測定された光透過率が所定の判定基準値を上回った場合に、当該受入紙幣を疲労紙幣と判定する疲労判定部と、この判定部によって疲労紙幣と判定された前記受入紙幣を前記収納紙幣から排除する受入排除手段と、前記受入紙幣のうち前記判定部によって疲労紙幣とは判定されない紙幣の比率である通過率を算出する演算部と、所定期間内に受け入れた受入紙幣についての前記通過率である期間通過率と、予め設定された前記通過率の目標値である目標通過率とを比較し、前記期間通過率が前記目標通過率に近づく方向に前記判定基準値を漸増／漸減させる通過率制御部と、を備えたことを特徴とする紙幣取扱装置である。
【０００８】
この第１の発明によれば、単純に期間通過率が目標通過率に近づく方向に判定基準値を漸増／漸減させることで、運用中の通過率を次第に目標通過率に近づけて行くことができる。
【０００９】
第２の発明は、第１の発明において、前記目標通過率を任意に設定するための通過率設定手段を更に備えたものである。
【００１０】
この第２の発明によれば、目標通過率の設定により、運用効率と顧客への配慮とのバランスを任意に調節することができる。
【００１１】
第３の発明は、第１又は第２の発明において、前記判定基準値を任意に増減させるための基準値調節手段を更に備えたものである。
【００１２】
この第３の発明によれば、判定基準値を手動にて直接調節できるようにして、管理者の便宜を図ることができる。
【発明の効果】
【００１３】
このように、本発明によれば、複雑な統計処理等を行うことなく、運用効率と顧客への配慮の双方の観点を考慮した目標通過率を簡易に得ることができる。
【発明を実施するための最良の形態】
【００１４】
次に、図面を参照して本発明の一実施形態について説明する。図１乃至図４は本発明による紙幣取扱装置の一実施形態としての紙幣入出金装置を示す図である。以下、本実施形態の構成、動作、作用効果、および変形例について順次説明する。
【００１５】
［構  成］
図１に示す紙幣入出金装置は、外部から受け入れた入金紙幣（受入紙幣）を収納紙幣として収納し、この収納紙幣を必要に応じて外部へ放出する循環式の入出金装置として構成されている。
【００１６】
この紙幣入出金装置は、筐体１０と、この筐体１０内の略中央部に設けられた環状の周回搬送路３ａとを備えている。また、筐体１０内には、紙幣繰込ユニット２、紙幣収納部６、紙幣放出ユニット８、出金リジェクト部４および紙幣回収カセット７が、周回搬送路３ａの外周を取り囲むようにして配置されている。なお、紙幣入出金装置は、筐体１０内に後述する制御ユニットＣを備えている。
【００１７】
また、繰込ユニット２、各収納部６、放出ユニット８、出金リジェクト部４および回収カセット７と、周回搬送路３ａとの間を接続する紙幣の接続搬送路３ｂがそれぞれ形成されている。周回搬送路３ａの右側部分には、そこを通過する紙幣の金種等を識別するための紙幣識別センサＳが設けられている。なお、周回搬送路３ａと各接続搬送路３ｂとの間で紙幣の搬送経路を切り換える揺動式の経路切換手段（図示せず）が、周回搬送路３ａに沿って配置されている。
【００１８】
図１および図４に示すように、筐体１０の前面には、繰込ユニット２に対応した紙幣受入口１２と、放出ユニット８に対応した紙幣取出口１４とが設けられている。回収カセット７は、筐体１０に対して着脱自在に取り付けられている。また、筐体１０の前部上面に表示・操作部１１（図４）が設けられている。
【００１９】
図１において、繰込ユニット２は、受入口１２に挿入された入金紙幣を導入して、それらの紙幣を周回搬送路３ａ側へ繰り出すためのものである。また、各紙幣収納部６は、識別センサＳによる識別結果に応じて紙幣を金種別に収納するためのものであり、通常は千円紙幣用、２千円／５千円紙幣（混合）用および万円紙幣用の３つの収納部に分けて用いられる。そして、放出ユニット８は、各収納部６から取り出された紙幣を取出口１４より放出し、それらの紙幣を外部への抜き取りに供するためのものである。
【００２０】
出金リジェクト部４は、後述する「出金リジェクト紙幣」を収納するためのものである。また、回収カセット７は、各収納部６から回収した紙幣を収納するためのものである。この回収カセット７は、後述する「オーバーフロー紙幣」を収納するためにも用いられる。なお、上記放出ユニット８は、後述する「入金リジェクト紙幣」が放出される入金リジェクト部をも兼ねている。
【００２１】
以上の繰込ユニット２、各収納部６、放出ユニット８、出金リジェクト部４および回収カセット７等の具体的な構成としては周知ないし公知のものを用いることができるので、詳細な説明は省略する。なお、図１に示した制御ユニットＣは、各収納部６に収納されている収納紙幣を、外部からの出金指示等に応じて、収納部６から取り出して取出口１４より放出させるように制御する。
【００２２】
次に、受入紙幣（入金紙幣）の疲労判定に関する構成について、主に図２を参照して説明する。
【００２３】
図２に示すように、制御ユニットＣに上記識別センサＳが接続されている。この識別センサＳは、受入紙幣の光透過率を測定する透過率測定部としての機能も有している。そして、制御ユニットＣは、この測定部としての識別センサＳによって測定された光透過率（例えば紙幣中央の折れ癖部分での透過率）が所定の「判定基準値」を上回った場合に、当該受入紙幣を疲労紙幣と判定する疲労判定部としての機能を有している。なお、光透過率としては、白紙レベルの透過率に対する相対値を用いることもできる。
【００２４】
また、制御ユニットＣには、受入排除手段Ｒが接続されている。この受入排除手段Ｒは、疲労判定部としての制御ユニットＣによって疲労紙幣と判定された受入紙幣を収納紙幣から排除するように構成されている。具体的には、受入紙幣の搬送経路を入金リジェクト部としての放出ユニット８（図１）へ切り換える上記経路切換手段が、受入排除手段Ｒとしての機能を有している。
【００２５】
制御ユニットＣは、さらに、受入紙幣のうち疲労紙幣とは判定されない紙幣の比率である「通過率」を算出する演算部としての機能と、この通過率を制御するための通過率制御部としての機能を有している。通過率制御部としての制御ユニットＣは、所定期間内に受け入れた受入紙幣についての通過率である「期間通過率」と、予め設定された通過率の目標値である「目標通過率」とを比較し、期間通過率が目標通過率に近づく方向に判定基準値を漸増／漸減させるような制御を行う。
【００２６】
ここで、透過率の判定基準値と受入紙幣の通過率との間には相関関係があると考えられる。すなわち、一般に判定基準値を低く（厳しく）すれば（疲労紙幣と判定される紙幣が増えて）通過率は低下し、判定基準値を高く（緩く）すれば（疲労紙幣と判定される紙幣が減って）通過率は上昇する。但し、判定基準値と通過率との定量的な関係は、受入紙幣の母集団における疲労度（透過率）の分布に左右されるため、予測が困難である。このため、判定基準値をどの程度増減させれば目標通過率が達成できるかという予測も困難となる。
【００２７】
そこで、本発明の通過率制御部では、期間通過率が目標通過率に近づく方向に判定基準値を（例えば０．５％単位で）漸増／漸減させて行くことで、結果的に目標通過率に近い値が得られるように考慮している。例えば、１日の営業時間内での通過率を期間通過率として、目標通過率が達成されるまで判定基準値を毎日１ステップ（０．５％）ずつ増加または減少させて行くような制御を行うことができる。
【００２８】
なお、図１に示すように、制御ユニットＣには、目標通過率を任意に設定するための通過率設定手段１１ａと、判定基準値を任意に増減させるための基準値調節手段１１ｂとが接続されている。これらの手段１１ａ，１１ｂは、表示・操作部１１（図４）における操作キー（および確認用の表示画面）等として設けることができる。例えば、これらの手段１１ａ，１１ｂによって、目標通過率および判定基準値を、それぞれ０．５％単位で増減させるようにすることができる。
【００２９】
［動  作］
次に、（１）紙幣入出金装置の基本動作および（２）通過率制御動作（具体例）について説明する。
【００３０】
（１）紙幣入出金装置の基本動作
(1-1) 入金動作
図１において、受入口１２に挿入された紙幣は、繰込ユニット２から接続搬送路３ｂを通じて周回搬送路３ａへ１枚ずつ繰り出される。周回搬送路３ａへ繰り出された紙幣は、当該搬送路３ａに沿って反時計回り方向に搬送される。周回搬送路３ａを搬送される紙幣は、１周する間に識別センサＳによって金種を識別され、対応する金種の収納部６に収納される。
【００３１】
(1-2) 出金動作
紙幣入出金装置は、出金すべき紙幣の額に応じて、以下に例示するような出金動作を行う。
【００３２】
(1-2-1) 出金額３千円（１千円）の場合
この場合、千円紙幣用の収納部６から繰り出された３枚（１枚）の千円紙幣が、接続搬送路３ｂを通じて周回搬送路３ａへ１枚ずつ（１枚だけ）繰り出される。周回搬送路３ａへ繰り出された紙幣は、周回搬送路３ａに沿って時計回り方向に搬送され、識別センサＳによる金種識別を受けることなく、紙幣放出ユニット８へ送り込まれる。放出ユニット８は、３枚（１枚）の千円紙幣が送り込まれた時点で、当該紙幣を束の状態で（１枚の場合はそのまま）取出口１４から外部へ突出させるように放出する。
【００３３】
(1-2-2) 出金額７千円の場合
この場合、まず２千円／５千円紙幣用の収納部６から最初の紙幣１枚だけが繰り出され、周回搬送路３ａに沿って時計回り方向に搬送される。この紙幣は、周回搬送路３ａを１周以上する間に識別センサＳによる金種識別を受けた上で、上記(2-2-1)の場合と同様にして放出ユニット８へ送り込まれる。
【００３４】
最初の紙幣の金種が５千円であった場合は、残りの２千円分として千円紙幣用の収納部６から千円紙幣が２枚繰り出され、上記(2-2-1)の場合と同様、金種識別を経ることなく放出ユニット８へ送り込まれる。
【００３５】
次に、最初の紙幣の金種が２千円であった場合は、２千円／５千円紙幣用の収納部６から２番目の紙幣１枚だけが繰り出され、周回搬送路３ａにおいて金種識別を受ける。この２番目の紙幣の金種が５千円であった場合は、その５千円紙幣が放出ユニット８へ送り込まれ、出金動作が完了する。一方、２番目の紙幣の金種が２千円であった場合は、この２千円紙幣が放出ユニット８へ送り込まれると共に、残りの３千円分として千円紙幣用の収納部６から千円紙幣が３枚繰り出され、金種識別を経ることなく放出ユニット８へ送り込まれる。
【００３６】
なお、放出ユニット８へ送り込まれた紙幣は、いずれも上記(1-2-1)の場合と同様にして、取出口１４から外部へ放出される。
【００３７】
(1-3) 回収動作
例えば、１日の営業が終了して、収納部６内の紙幣を全て、或いは売上金相当額だけ回収したい場合等には、収納部６から繰り出された紙幣を順次、周回搬送路３ａから接続搬送路３ｂを通じて紙幣回収カセット７に収納することができる。なお、いずれかの収納部６が満杯であるにも拘わらず、対応する金種の紙幣が更に受け入れられた場合、その紙幣は「オーバーフロー紙幣」として、周回搬送路３ａから接続搬送路３ｂを通じて回収カセット７に収納される。
【００３８】
(1-4) リジェクト動作
入金紙幣（受入紙幣）の中に、識別センサＳで測定された光透過率に基づいて制御ユニット（疲労判定部）Ｕによって疲労紙幣と判定された紙幣があった場合、その紙幣は「入金リジェクト紙幣」として、周回搬送路３ａから接続搬送路３ｂを通じて紙幣放出ユニット８へ送り込まれる。その他、識別センサＳによる金種識別のできない紙幣等も、同様に「入金リジェクト紙幣」として紙幣放出ユニット８へ送り込まれ、取出口１４から外部へ放出される。
【００３９】
また、収納部６から繰り出された紙幣の中に斜行等により識別センサＳによる金種識別のできない紙幣があった場合、その紙幣は「出金リジェクト紙幣」として、周回搬送路３ａから接続搬送路３ｂを通じて出金リジェクト部４へ送り込まれる。
【００４０】
（２）通過率制御動作
次に、図３のフローチャートに基づいて、制御ユニットＣ（図２）による通過率制御動作の具体例について説明する。なお、通過率設定手段１１ａによって予め目標通過率（例えば９９％）が設定されているものとする。また、この目標通過率に対して低めと思われる判定基準値が初期設定されているものとする。
【００４１】
まず、装置の電源がオンになると、ステップＳＴ１で、制御ユニット（演算部）Ｃにより、前回の電源オンからオフまでの（通常は１日の営業時間内の）期間通過率が算出される。次にステップＳＴ２で、制御ユニット（通過率制御部）Ｃにより、算出された期間通過率が目標通過率に達しているか否か比較される。その結果、期間通過率が目標通過率に達していない場合は（ステップＳＴ２→ＹＥＳ）、ステップＳＴ３で、判定基準値を１ステップ（０．５％）だけ増加させる。そして、期間通過率が目標通過率に達する（ステップＳＴ２→ＮＯ）まで、装置の電源がオンになる度に、判定基準値を１ステップ（０．５％）ずつ増加させて行く（ステップＳＴ３）ことになる。
【００４２】
［作用効果］
次に、以上のように構成された本実施形態の作用効果について説明する。
【００４３】
本実施形態によれば、制御ユニットＣによって、単純に期間通過率が目標通過率に近づく方向に判定基準値を漸増／漸減させることで、運用中の通過率を次第に目標通過率に近づけて行くことができる。これにより、ある程度の期間が必要となる場合もあるが、複雑な統計処理等を行うことなく、運用効率と顧客への配慮の双方の観点を考慮した目標通過率を簡易に得ることができる。また、結果として得られる通過率のみを目標として制御を行っているので、透過率測定部としてのセンサＳの感度のばらつきや径時変化による影響を間接的に補償することができる。
【００４４】
次に、通過率設定手段１１ａによる目標通過率の設定により、運用効率と顧客への配慮とのバランスを任意に調節することができる。また、基準値調節手段１１ｂにより、判定基準値を手動にて直接調節できるようにして、管理者（ユーザー）の便宜を図ることができる。例えば、上記のような通過率制御では、通過率を増減させるべく目標通過率の設定を変更したとしても、直ちに目標通過率に近い通過率が得られる訳ではない。そこで、基準値調節手段１１ｂで判定基準値自体を直接調節することで、通過率を直ちに増減させることが可能となる。
【００４５】
［変形例］
（１）図３を参照した通過率制御動作の具体例では、一般的には目標通過率が比較的高く（例えば９９％程度に）なることを考慮して、判定基準値を漸増させてる場合のみについて説明したが、これが判定基準値を漸減させる場合を排除する趣旨でないことは勿論である。すなわち、目標通過率や判定基準値（初期値）の設定によっては、判定基準値を漸減させ、あるいは漸増と漸減を任意に行わせるようにしてもよい。
【００４６】
（２）上述した制御ユニット（通過率制御部）Ｕによる自動的な通過率制御を停止して、基準値調節手段１１ｂによる判定基準値の調節だけで手動的な通過率制御を行うことも可能である。
【図面の簡単な説明】
【００４７】
【図１】本発明による紙幣取扱装置の一実施形態を示す水平断面図。
【図２】図１に示した紙幣取扱装置の制御系を示すブロック図。
【図３】図１に示した紙幣取扱装置における通過率制御動作の一例を示すフローチャート。
【図４】図１に示す紙幣取扱装置の外観を示す斜視図。
【符号の説明】
【００４８】
２  紙幣繰込ユニット
３ａ  周回搬送路
３ｂ  接続搬送路
４  出金リジェクト部
６  紙幣収納部
７  紙幣回収カセット
８  紙幣放出ユニット（入金リジェクト部）
１０  筐体
１１  表示・操作部
１１ａ  通過率設定手段
１１ｂ  基準値調節手段
１２  紙幣受入口
１４  紙幣取出口
Ｓ  識別センサ（透過率測定部）
Ｒ  受入排除手段
Ｃ  制御ユニット（疲労判定部／演算部／通過率制御部）
【図１】
2005107686.tif 000003
【図２】
2005107686.tif 000004
【図３】
2005107686.tif 000005
【図４】
2005107686.tif 000006